(57)【要約】      （修正有）【課題】幟旗のまくれ上がりを防ぎ、作業効率のよい幟旗のめくれ上り防止器具を提供する。【解決手段】幟旗のめくれ上がり防止器具であって、略円筒形で幟旗の支柱１０に着脱自在な内側取り付け部２と、内側取り付け部２を挟着自在な外側取り付け器具とを備える、内側取り付け部２は、内側取り付け部品２２と内側取り付け部品２４とに分離自在である幟旗のめくれ上がり防止器具である。【選択図】図３
0003209150.tif 000002
【実用新案登録請求の範囲】
【請求項１】
幟旗のめくれ上がり防止器具であって、
略円筒形で前記幟旗の支柱に着脱自在な内側取り付け器具と、
前記内側取り付け器具を挟着自在な外側取り付け器具とを備え、
前記内側取り付け器具は、複数の部材に分離自在である幟旗のめくれ上がり防止器具。
【請求項２】
請求項１に記載の幟旗のめくれ上がり用器具であって、
略Ｃの字状で前記支柱における前記内側取り付け器具の上方に着脱自在なストッパーを備える幟旗のめくれ上がり防止器具。
【考案の詳細な説明】
【技術分野】
【０００１】
本考案は、幟旗のめくれ上がり防止器具に関する。
【背景技術】
【０００２】
商店や不動産や遊戯場やお祭りなどの広告宣伝のために、縦長の幟旗が街中や店舗内で多数設置されている。しかし、屋外に幟旗を設置した場合、風が吹くと幟旗がめくれ上がってしまい幟旗に書かれている内容が読めなくなってしまう。
【０００３】
まくれ上がりを防止するために、幟旗のちぎれの部分に重りをホチキスや粘着テープで取り付け、重りの重量でまくれ上がりを防止するものが知られている（特許文献１）
【先行技術文献】
【特許文献】
【０００４】
【特許文献１】特開２００５−２８４２００号公報
【考案の概要】
【考案が解決しようとする課題】
【０００５】
幟旗のちぎれの部分に重りをホチキスでつける場合、現地で作業するスタッフの作業負担が増え、時間がかかってしまう。また、幟旗に傷がついてしまうため、他の場所で幟旗を再利用することができない。
【０００６】
このため、幟旗のまくれ上がりを防ぎ、作業効率のより幟旗のめくれ上り防止器具を提供することを目的とする。
【課題を解決するための手段】
【０００７】
本考案は、幟旗のめくれ上がり防止器具であって、略円筒形で前記幟旗の支柱に着脱自在な内側取り付け器具と、前記内側取り付け器具を挟着自在な外側取り付け器具とを備え、内側取り付け器具は、複数の部材に分離自在である幟旗のめくれ上がり防止器具である。
【０００８】
さらに、本考案は、上記の幟旗のめくれ上がり防止器具であって、略Ｃの字状で前記支柱における前記内側取り付け器具の上方に着脱自在なストッパーを備える幟旗のめくれ上がり防止器具であっても良い。
【考案の効果】
【０００９】
本考案は、幟旗のまくれ上がりを防ぎ、作業効率のより幟旗のめくれ上り防止器具を提供することができる。
【図面の簡単な説明】
【００１０】
【図１】本考案にかかるめくれ上がり防止器具の一部を示す図である。
【図２】本考案にかかるめくれ上がり防止器具の第一実施形態の説明図である。
【図３】本考案にかかるめくれ上がり防止器具の第一実施形態の説明図である。
【図４】本考案にかかるめくれ上がり防止器具の第一実施形態の説明図である。
【図５】本考案にかかるめくれ上がり防止器具の第一実施形態の説明図である。
【図６】本考案にかかるめくれ上がり防止器具の第一実施形態の説明図である。
【図７】本考案にかかるめくれ上がり防止器具の第一実施形態の説明図である。
【図８】本考案にかかるめくれ上がり防止器具の第一実施形態の説明図である。
【図９】本考案にかかるめくれ上がり防止器具の第一実施形態の説明図である。
【図１０】本考案にかかるめくれ上がり防止器具の第二実施形態の説明図である。
【図１１】本考案にかかるめくれ上がり防止器具の第二実施形態の説明図である。
【図１２】本考案にかかるめくれ上がり防止器具の第二実施形態の説明図である。
【図１３】本考案にかかるめくれ上がり防止器具の第二実施形態の説明図である。
【図１４】本考案にかかるめくれ上がり防止器具の第二実施形態の説明図である。
【図１５】本考案にかかるめくれ上がり防止器具の第二実施形態の説明図である。
【考案を実施するための形態】
【００１１】
図１は、本考案にかかるめくれ上がり防止器具の一部を示す図である。めくれ上がり防止器具は、内側取り付け部２と、外側取り付け部４（図４参照）と、ストッパー６とを備える。内側取り付け部２は、略円筒状であり、２つの部品（内側取り付け部品２２と内側取り付け部品２４）に分離自在である。内側取り付け部２の内径は、支柱１０に取り付けたとき回動自在な長さである。また、内側取り付け部２の周壁の上部と下部に凸部があり、水平方向から見た場合、英文字のＨを９０度回転したような形状に見える。なお、略Ｈ状の凹部分の幅は、好ましくは３０ｍｍ以下が望ましい
【００１２】
内側取り付け部品２２と内側取り付け部品２４とは、弾力性のある素材で作られており、嵌合自在である。内側取り付け部２を幟旗１の支柱１０に取り付けるときには、内側取り付け部品２２と内側取り付け部品２４に分離し、支柱１０を挟みこむように、内側取り付け部品２２と内側取り付け部品２４を嵌合する。
【００１３】
ストッパー６は、弾力性のある素材で作られた略Ｃの字状の部材である。ストッパー６の内径は、支柱１０を挟着可能な長さであり、挟着後は、摩擦によって位置が固定される。ストッパー６の外径は内側取り付け部２の外径よりも短い。
【００１４】
［第一実施形態］
図２から図９は、本考案の第一実施形態を表す。第一実施形態は、ちぎれのあるタイプの幟旗の場合である。まず、図２、図３に示すように、幟旗１の支柱１０の下部において、内側取り付け部品２２と内側取り付け部品２４を嵌合し、内側取り付け部２を支柱１０に取り付ける。このように、内側取り付け部２を支柱１０に取り付けるために、幟旗を持ち上げることが不要になるばかりでなく、特殊な工具も不要なため、忙しいイベント設営時などにおいて幟旗を迅速に設置することが可能になる。また、幟旗を除去する際も、内側取り付け部２が分離可能なため、支柱１０を外すことなく迅速に撤去することが可能である。
【００１５】
図４に示すように、内側取り付け部２を支柱１０の上方に移動し、幟旗の一番下に位置するちぎれ３０を内側取り付け部２のＨの凹部に引っかける。さらに、ちぎれ３０を挟み込むように、外側取り付け器具４を内側取り付け部２に挟着する（図５参照）。
【００１６】
図６に示すように、ストッパー６を支柱１０の内側取り付け部２の上方に挟着する（図７参照）
【００１７】
図８の右側の幟旗は、本考案にかかるめくれ上り防止器具がない幟旗である。このため、風などにめくり上がってしまう。一方、左側の幟旗は、めくれ上り防止器具があるため、幟旗がめくり上がらない。具体的には、ちぎれ３０が風で上方に移動しようとした場合、外側取り付け部４と内側取り付け部２が重りとなる。さらに、さらに強い風であっても、内側取り付け部２がストッパー６にあたり、上方に移動できない。
【００１８】
一方、内側取り付け部２は、回動自在に支柱１０に付いているため、図９に示すように、幟旗は、向きを変えることが可能である。このため、風による幟旗の回転で、幟旗が支柱に絡みつくことを防止できる。
【００１９】
［第二実施形態］
図１０から図１５は、本考案の第二実施形態を表す。第二実施形態は、袋タイプの幟旗の場合である。図１０に示すように、幟旗１００の支柱１１０の袋３００の下部において、内側取り付け部品２２と内側取り付け部品２４を嵌合し、内側取り付け部２を支柱１１０に取り付ける。
【００２０】
図１２に示すように、内側取り付け部２を支柱１０の上方に移動し、幟旗１００の袋内部に移動する。さらに、幟旗１００の袋３００を上方に移動し、支柱１１０の内側取り付け部２の上方にストッパー６を取り付け、袋３００を下げ、内側取り付け部２を覆う（図１３参照）。
【００２１】
図１４に示すように、幟旗１００の袋３００を挟み込むように、外側取り付け器具４を内側取り付け部２に挟着する（図１５参照）。
【００２２】
このため、幟旗１００の袋３００が風で上方に移動しようとした場合、外側取り付け部４と内側取り付け部２が重りとなる。さらに、さらに強い風であっても、内側取り付け部２がストッパー６にあたり、上方に移動できない。
【００２３】
一方、内側取り付け部２は、回動自在に支柱１０に付いているため、幟旗は、向きを変えることが可能である。このため、風による幟旗の回転で、幟旗が支柱に絡みつくことを防止できる。さらに、内側取り付け部２を支柱１０に取り付けるために、幟旗を持ち上げることが不要になるばかりでなく、特殊な工具も不要なため、忙しいイベント設営時などにおいて幟旗を迅速に設置することが可能になる。また、幟旗を除去する際も、内側取り付け部２が分離可能なため、支柱１０を外すことなく迅速に撤去することが可能である。
【符号の説明】
【００２４】
１  幟旗
２  内側取り付け部
４  外側取り付け部
６  ストッパー
１０  支柱
２２  内側取り付け部品
２４  内側取り付け部品
３０  ちぎれ
１００  幟旗
１１０  支柱
３００  袋
【図１】
0003209150.tif 000003
【図２】
0003209150.tif 000004
【図３】
0003209150.tif 000005
【図４】
0003209150.tif 000006
【図５】
0003209150.tif 000007
【図６】
0003209150.tif 000008
【図７】
0003209150.tif 000009
【図８】
0003209150.tif 000010
【図９】
0003209150.tif 000011
【図１０】
0003209150.tif 000012
【図１１】
0003209150.tif 000013
【図１２】
0003209150.tif 000014
【図１３】
0003209150.tif 000015
【図１４】
0003209150.tif 000016
【図１５】
0003209150.tif 000017